(57)【要約】【課題】  初心者であっても安定した音色で簡単に操作できるオカリナを提供する。【解決手段】  内部に空洞な共鳴空間が形成された胴部２に形成された指孔５ａ〜５ｊのうち、第１０指孔５ｊに空気の流れを遮断する閉栓キャップ７を設ける。【選択図】  図１
2005275207.tif 000002
【特許請求の範囲】
【請求項１】
内部に空洞な共鳴空間が形成された胴部と、上記胴部に一体形成され先端に空気が吹き込まれる吹口を有する笛部とを含み、上記胴部には上記共鳴空間に向けて開放された音階調節用の指孔が多数設けられており、上記指孔には上記指孔の空気の流れを遮断する閉栓手段が設けられていることを特徴とするオカリナ。
【請求項２】
上記閉栓手段は、上記各指孔の内、左手小指によって開閉される「第１０指孔」に設けられている請求項１に記載のオカリナ。
【請求項３】
上記閉栓手段は、上記指孔に着脱自在に取り付けられる閉栓キャップである請求項１または２に記載のオカリナ。
【請求項４】
上記閉栓キャップには、奏者に指孔の位置を認識させる疑似指孔が設けられている請求項３に記載のオカリナ。
【請求項５】
上記閉栓手段は、上記胴部の一部が薄肉化された薄肉部によって上記指孔を一体的に閉塞したものからなる請求項１または２に記載のオカリナ。
【請求項６】
オカリナの指孔に沿って差し込まれる円筒状のスリーブと、同スリーブの一端側に形成され、上記指孔よりも大径なフランジとを有し、上記スリーブおよびフランジにて上記指孔の空気の流れを遮断することを特徴とするオカリナ用閉栓キャップ。
【発明の詳細な説明】
【技術分野】
【０００１】
本発明は、オカリナに関し、さらに詳しく言えば、初心者であっても安定した音色で演奏することができるオカリナに関する。
【背景技術】
【０００２】
オカリナとは、粘土を焼き上げて作られる素焼きの土笛であり、１２カ所の指孔を両手で操作して演奏する閉管楽器である。近年、オカリナは、土笛の素朴で暖かな音色による癒し効果が好まれ、愛好者を増やしており、合成樹脂で作られたものも市販されている。
【０００３】
オカリナは、例えば特許文献１に示すように、内部に空洞な共鳴空間が形成された胴部と、胴部に一体に形成され、先端に奏者の口があてがわれる吹口を有する笛部とからなり、胴部には、表面側に１０カ所、裏面側に２カ所、合計１２カ所の指孔が設けられている。
【０００４】
このオカリナを操作するにあたっては、まず、両手の指を各指孔の定められた位置に配置して奏者の口から吹口に息を送り込むことで音が発生し、各指孔を指で開閉させることによって、ド・レ・ミ・ファ・・・など様々な音階を出すことができる。
【０００５】
しかしながら、初心者がオカリナを操作するには、次のような課題があった。すなわち、オカリナの１２カ所の指孔の１つに、「第１０指孔」と呼ばれる指孔がある。この第１０指孔は、左手の小指によって開閉操作される指孔であり、オカリナの最高音である「ミ♭」と「ファ」の音を出すために用いられる。
【０００６】
しかしながら、初心者の演奏する演目の多くは、第１０指孔を使うことはなく、常に指孔が小指で塞がれている。初心者にとって左手の小指で第１０指孔を常に塞いだ状態のまま、他の指を操作することは難しく、演奏中に小指が指孔から離れて空気が漏れ出して音が狂うことがあった。
【０００７】
【特許文献１】特開２００１−２１５９５５号公報
【発明の開示】
【発明が解決しようとする課題】
【０００８】
そこで、本発明は上述した課題を解決するためになされたものであって、その目的は、初心者であっても安定した音色で簡単に操作できるオカリナを提供することにある。
【課題を解決するための手段】
【０００９】
上述した目的を達成するため、本発明は、以下に示すいくつかの特徴を備えている。まず、請求項１においては、内部に空洞な共鳴空間が形成された胴部と、上記胴部に一体形成され、先端に空気が吹き込まれる吹口を有する笛部とを含み、上記胴部には、上記共鳴空間に向けて開放された音階調節用の指孔が多数設けられており、上記指孔には、上記指孔の空気の流れを遮断する閉栓手段が設けられていることを特徴としている。
【００１０】
請求項２においては、上記閉栓手段は、上記各指孔の内、左手小指によって開閉される「第１０指孔」に設けられていることを特徴としている。
【００１１】
請求項３においては、上記閉栓手段は、上記指孔に着脱自在に取り付けられる閉栓キャップであることを特徴としている。
【００１２】
請求項４においては、上記閉栓キャップには、奏者に指孔の位置を認識させる疑似指孔が設けられていることを特徴としている。
【００１３】
請求項５においては、上記閉栓手段は、上記胴部の一部が薄肉化された薄肉部によって上記指孔を一体的に閉塞したものからなることを特徴としている。
【００１４】
請求項６においては、オカリナの指孔に沿って差し込まれる円筒状のスリーブと、同スリーブの一端側に形成され、上記指孔よりも大径なフランジとを有し、上記スリーブおよびフランジにて上記指孔の空気の流れを遮断することを特徴としている。
【発明の効果】
【００１５】
請求項１に記載の発明によれば、初心者があまり使用しない指孔を閉栓手段によって閉じておくことにより、他の指での操作に集中できるため、簡単に演奏することができる。
【００１６】
請求項２に記載の発明によれば、初心者が特に操作しにくい「第１０指孔」に閉栓手段を設けたことにより、初心者がより演奏しやすくなる。
【００１７】
請求項３に記載の発明によれば、着脱式の閉栓キャップを用いることにより、通常のオカリナに取り付けて使用するだけで、誰でも簡単にオカリナを演奏することができる。
【００１８】
請求項４に記載の発明によれば、閉栓キャップに疑似指孔を設けたことにより、閉栓キャップを使用していても、指孔の位置を指で認識しておくことができ、閉栓キャップを取り外すための訓練にもなる。
【００１９】
請求項５に記載の発明によれば、オカリナをプラスチックなどの合成樹脂で形成する場合には、第１０指孔の完全に開放した状態ではなく、薄肉化した膜を形成しておくことにより、初心者のときは、そのまま演奏し、上達した時点で薄肉を破って第１０指孔を作ることができる。
【００２０】
本発明には、オカリナの指孔を閉栓するためのオカリナ用閉栓キャップも含まれる。すなわち、請求項６に記載の発明によれば、市販されているオカリナに閉栓キャップを取り付けることにより、誰でも簡単に演奏することができる。
【発明を実施するための最良の形態】
【００２１】
次に、本発明の実施形態について図面を参照しながら説明する。図１および図２は、本発明の一実施形態に係るオカリナの正面図および背面図である。
【００２２】
このオカリナ１は、内部に空洞な共鳴空間が形成された胴部２と、胴部２に一体に形成され、先端に奏者の口があてがわれる吹口４を有する笛部３とを備えており、この実施形態においては、合成樹脂の成型品からなる。
【００２３】
この実施形態において、オカリナ１は合成樹脂製であるが、一般的な粘土の焼き物であってもよいし、極端に言えば、金属製であってもよく。オカリナ１としての基本形態を備えていれば、その材質や形状は任意である。
【００２４】
オカリナ１の大きさは音域によって異なり、この例では、最も一般的な大きさであるＭＣ（ミドルＣ調管）の大きさを例に取って説明するが、これ以外にＧ調管やＦ調管であってもよい。
【００２５】
笛部３は、内部に吹口４と共鳴空間とを連通する気道（図示しない）が設けられており、気道の末端には、図２に示すように、音の出る窓６が設けられている。なお、音窓６の形状については、丸形や角形など仕様によって任意である。
【００２６】
図１および図２に示すように、胴部２には、内部の共鳴空間に連通する合計１２カ所の指孔５ａ〜５ｌが穿設されている。各指孔５ａ〜５ｌの内、指孔５ａは、「第１指孔」と呼ばれ、右手・小指によって操作される。指孔５ｂは、「第２指孔」と呼ばれ右手・薬指によって操作される。指孔５ｃは、「第３指孔」と呼ばれ右手・中指によって操作され、指孔５ｄは、「第４指孔」と呼ばれ右手・人指し指によって操作される。
【００２７】
指孔５ｅは「第５指孔」と呼ばれ左手・薬指によって操作される。指孔５ｆは「第６指孔」と呼ばれ左手・中指によって操作される。指孔５ｇは「第７指孔」と呼ばれ、左手・人指し指によって操作される。
【００２８】
図２に示すように、指孔５ｈは「第８指孔」と呼ばれ、左手・親指によって操作される。指孔５ｉは、「第９指孔」と呼ばれ、右手・親指によって操作される。再び、図１を参照して、指孔５ｊは、「第１０指孔」と呼ばれ左手・小指によって操作される。
【００２９】
第３指孔５ｃと第６指孔５ｆには、低音を出すために用いられる第１および第２ダブルホール５ｋ、５ｌがそれぞれ隣接して設けられている。なお、ダブルホール５ｋ、５ｌの有無は、本発明において任意的な構成要素であり、仕様によって選択的に用いられる。
【００３０】
第１０指孔５ｊには、第１０指孔５ｊの空気の流れを遮断するための閉栓手段としての閉栓キャップ７が設けられている。図３および図４に示すように、閉栓キャップ７は、例えばゴムや合成樹脂などの軟質な材料の成型品からなり、第１０指孔５ｊに沿って嵌合されるスリーブ部７１と、スリーブ部７１の上端に形成されたフランジ部７２とを備えている。
【００３１】
スリーブ部７１は、第１０指孔５ｊの孔径よりも若干大きな外径を有し、第１０指孔５ｊに沿って差し込まれることにより、第１０指孔５ｊの空気の流れを遮断する。
【００３２】
フランジ部７２は、スリーブ部２２の外径よりも大径に形成されており、図３に示すように、胴部２の表面に沿って当接することにより、第１０指孔５ｊを塞ぐようになっている。
【００３３】
フランジ部７２の天端面（図３では上端面）には、奏者に第１０指孔５ｊの位置を認識させるための疑似指孔７３が設けられている。疑似指孔７３は、第１０指孔５ｊとほぼ同じ内径を有し、フランジ部７２の天端面よりも一段低く形成された凹部からなり、疑似指孔７３を小指で塞ぎながら演奏することにより、第１０指孔５ｊを塞ぐ癖付けする訓練にもなる。
【００３４】
この実施形態において、閉栓キャップ７は、ゴムや合成樹脂などの軟質な材料からなることが好ましいが、その色は透明な方がより好ましい。これによれば、オカリナに様々な模様や色などが装飾されていても、閉栓キャップ７が目立つことなく、自分が気に入ったオカリナに自由に取り付けることができる。
【００３５】
この閉栓キャップ７を装着することで、初心者が塞ぐことが困難な第１０指孔５ｊを閉栓キャップ７によって予め塞ぐことができ、初心者であってもきれいな音色を出すことができるばかりなく、疑似指孔７３によって第１０指孔５ｊの位置を認識しておくことができる。
【００３６】
閉栓キャップ７と同様の効果が得られる別の態様としては、図５に示すように、胴部２の一部を薄肉化した薄肉部８によって第１０指孔５ｊを一体的に閉塞してもよい。
【００３７】
薄肉部８は、合成樹脂によってオカリナを一体成型する際に同時に形成され、薄肉部８を胴部２の表面から一段低い場所に形成されている。これによれば、第１０指孔５ｊの閉栓と疑似指孔８１の形成が同時にでき、オカリナの購入と同時に初心者が演奏できる。上達してきたら、カッターなどで薄肉部８を切り落とすことで、第１０指孔５ｊが表れる。なお、薄肉部８を切り離した後で上述した閉栓キャップ７を別途取り付けてもよい。
【００３８】
上述した実施形態において、閉栓キャップ７または薄肉部８は、第１０指孔５ｊにのみ設けられているが、本発明の閉栓手段は、第１０指孔５ｊに加えて他の指孔にも設けられていてもよい。
【図面の簡単な説明】
【００３９】
【図１】本発明の一実施形態に係るオカリナの正面図。
【図２】上記実施形態のオカリナの背面図。
【図３】図１のＡ−Ａ線断面図。
【図４】閉栓キャップの斜視図。
【図５】薄肉部の構造を説明するための説明図。
【符号の説明】
【００４０】
１  オカリナ
２  胴部
３  笛部
４  吹口
５ａ〜５ｊ  指孔
７  閉栓キャップ
８  薄肉部
【図１】
2005275207.tif 000003
【図２】
2005275207.tif 000004
【図３】
2005275207.tif 000005
【図４】
2005275207.tif 000006
【図５】
2005275207.tif 000007